(57)【要約】【課題】ハウジングに引っ掛けられたフックが、ハウジングから離れることを抑制することができる光ピックアップ装置を提供する。【解決手段】  光ピックアップ装置は、光学電子部品が載置されるハウジングと、前記ハウジングを覆うカバーと、前記ハウジングに形成された鉤部と、前記ハウジングを前記カバーが覆った際に、前記鉤部に嵌合される、前記カバーに形成された嵌合部と、前記ハウジングに形成された突部と、前記ハウジングを前記カバーが覆った際に、前記突部が挿入される、前記カバーに形成された第１開口部と、を備える。【選択図】図１
2014106999.tif 000002
【特許請求の範囲】
【請求項１】
光学電子部品が載置されるハウジングと、
前記ハウジングを覆うカバーと、
前記ハウジングに形成された鉤部と、
前記ハウジングを前記カバーが覆った際に、前記鉤部に嵌合される、前記カバーに形成された嵌合部と、
前記ハウジングに形成された突部と、
前記ハウジングを前記カバーが覆った際に、前記突部が挿入される、前記カバーに形成された第１開口部と、
を備えることを特徴とする光ピックアップ装置。
【請求項２】
請求項１に記載の光ピックアップ装置であって、
前記突部の先端は、
前記カバーが前記ハウジングを覆った際に、前記カバーの前記ハウジング側の面と反対側の表面の高さより高い位置にあること、
を特徴とする光ピックアップ装置。
【請求項３】
請求項１または請求項２に記載の光ピックアップ装置であって、
前記金属カバーには、
所定の螺子が挿入される第２開口部が設けられ、
前記ハウジングには、
前記所定の螺子が螺合される螺合部が設けられ、
前記所定の螺子は、
前記金属カバーが前記ハウジングに取り付けられるよう、前記第２開口部を介して前記螺合部に螺合されること、
を特徴とする光ピックアップ装置。
【請求項４】
請求項１に記載の光ピックアップ装置であって、
前記カバーは、アクチュエータが設置されたハウジングを該アクチュエータと共に覆い、該アクチュエータ部分を覆うアクチュエータ被覆部及び該アクチュエータが設置されていないハウジング被覆部を有し、
前記鉤部は、前記カバーのアクチュエータ被覆部及びハウジング被覆部にそれぞれ設けられること、
を特徴とする光ピックアップ装置。
【発明の詳細な説明】
【技術分野】
【０００１】
本発明は、光ピックアップ装置に関する。
【背景技術】
【０００２】
光ピックアップ装置は、ＤＶＤ(Digital Versatile Disc)やＣＤ（Compact Disc）等の光ディスクに対し、レーザ光を用いて光学的に信号の記録再生を行う。光ピックアップ装置のハウジング内には、レーザ光発生素子等の光学電子部品やアクチュエータ等が収納される。そして、部品が収納されたハウジングは、一般に金属性のカバーで覆われる（例えば、特許文献１参照）。
【先行技術文献】
【特許文献】
【０００３】
【特許文献１】特開２０１０−０７３２２９号公報
【発明の概要】
【発明が解決しようとする課題】
【０００４】
ところで、カバーをハウジングに取り付ける際には、例えば、カバーに形成された複数のフックが、ハウジングに設けられた対応する凸部に引っ掛けられる。そして、複数のフックが、対応する凸部に引っ掛けられた後、カバーはハウジングに螺子で取り付けられる。しかしながら、カバーが螺子でハウジングに取り付けられた場合であっても、例えばハウジングに収納されたアクチュエータが動作し、カバーに水平方向の力が加わると、フックがハウジングから離れてしまい、安全性が低下してしまうことがある。
【０００５】
本発明は上記課題を鑑みてなされたものであり、カバーに形成され、ハウジングに引っ掛けられたフックが、ハウジングから離れることを抑制することができる光ピックアップ装置を提供することを目的とする。
【課題を解決するための手段】
【０００６】
上記目的を達成するため、本発明の一つの側面に係る光ピックアップ装置は、光学電子部品が載置されるハウジングと、前記ハウジングを覆うカバーと、前記ハウジングに形成された鉤部と、前記ハウジングを前記カバーが覆った際に、前記鉤部に嵌合される、前記カバーに形成された嵌合部と、前記ハウジングに形成された突部と、前記ハウジングを前記カバーが覆った際に、前記突部が挿入される、前記カバーに形成された第１開口部と、を備える。
【発明の効果】
【０００７】
カバーに形成され、ハウジングに引っ掛けられたフックが、ハウジングから離れることを抑制することができる光ピックアップ装置を提供することができる。
【図面の簡単な説明】
【０００８】
【図１】光ピックアップ装置１０の外観構成を示す図である。
【図２】光ピックアップ装置１０の内部構成を示す図である。
【図３】光ピックアップ装置１０に各種部品が収納された状態を示す図である。
【図４】光ピックアップ装置１０の光学系を説明するための図である。
【図５】光ピックアップ装置１０の光学系を説明するための図である。
【図６】カバー２１の詳細を説明するための図である。
【図７】カバー２１の詳細を説明するための図である。
【図８】ハウジング２０の詳細を説明するための図である。
【図９】ハウジング２０の詳細を説明するための図である。
【図１０】カバー２１をハウジング２０に取り付ける際の各種部位の状態を説明するための図である。
【図１１】光ピックアップ装置１０の斜視図である。
【図１２】光ピックアップ装置１０の斜視図である。
【図１３】光ピックアップ装置１０の平面図である。
【発明を実施するための形態】
【０００９】
本明細書および添付図面の記載により、少なくとも以下の事項が明らかとなる。
【００１０】
＝＝光ピックアップ装置の全体構成＝＝
本発明の実施形態における光ピックアップ装置１０の外観構成を図１に示し、光ピックアップ装置１０の分解斜視図を図２に示す。
【００１１】
なお図１において、Ｚ軸は光ディスク５の回転中心軸の方向に沿う軸であり、光ピックアップ装置１０から光ディスク５に向かう向きを＋Ｚ方向とする。Ｘ軸は光ディスク５の中心から外周に向かう向きのうち、光ピックアップ装置１０が光ディスク５のトラッキング方向に移動する方向に沿う軸であり、光ディスク５の中心から離れる方向を＋Ｘ方向とする。Ｙ軸は、Ｚ軸及びＸ軸に直交する軸であり、光ディスク５のタンジェンシャル方向に沿った軸である。
【００１２】
光ピックアップ装置１０は、光ディスク５に所定波長のレーザ光を照射することにより、光ディスク５に記録されている信号の読み出し動作や光ディスク５に信号の記録動作を行う装置である。
【００１３】
光ディスク５は、例えばＢＤ（Blu-ray（登録商標、以下同様））規格の光ディスク、ＤＶＤ（Digital Versatile Disc）規格の光ディスク、ＣＤ（Compact Disc）規格の光ディスク等である。
【００１４】
光ピックアップ装置１０では、例えば図１及び図２に示すように、底面と、底面を囲む側面と、を有すると共に、上面が開放されたハウジング２０内の所定位置に、光学部品、光学電子部品、各種基板等が収納される。具体的には、光ピックアップ装置１０には、アクチュエータ３０、光学部品３１、放熱板３２，３３、及び回路基板３４が収納される。また、ハウジング２０には、雄螺子である螺子２２（所定の螺子）に螺合される雌螺子が表面に形成された螺子穴６０（螺合部）が設けられている。また、カバー２１、放熱板３３、及び回路基板３４には、螺子２２が挿入される開口部８０〜８２がそれぞれ設けられている。そして、金属性のカバー２１はアクチュエータ３０を含めてハウジング２０を一体的に覆い、その後、螺子２２が、開口部８０〜８２を介して螺子穴６０に挿入されると、金属性のカバー２１はハウジング２０に取り付けられることになる。なお、ハウジング２０は、例えばマグネシウム合金等の金属、あるいはＰＰＳ（ポリフェニレンサルファイド）等の合成樹脂により形成される。また、開口部８０は、第２開口部に相当する。
【００１５】
アクチュエータ３０は、対物レンズ４０を保持するレンズホルダ４１を、光ディスク５のフォーカス方向又はトラッキング方向に移動させる装置である。
【００１６】
光学部品３１は、ＤＶＤやＣＤの情報を読み書きするための光学系の主要な部品であり、レーザユニット５０、回折格子５１、ビームスプリッタ５２、非点収差発生板５３、１／４波長板５４、コリメートレンズ５５、及び立ち上げミラー５６を含んで構成される。なお、光学部品３１の詳細については後述する。また、他の光学系の電子部品（光検出器７５、フロントモニタ受光検出器７６）は、回路基板３４に設けられている。
【００１７】
放熱板３２は、レーザユニット５０で発生する熱を放散するための金属性の板である。
【００１８】
放熱板３３は、レーザユニット５０の発光を制御するためのドライバＩＣ（不図示）で発生する熱を放散するための金属性の板である。
【００１９】
回路基板３４は、光ピックアップ装置１０を制御するための回路及び配線を形成する基板である。回路基板３４は、リジッド基板７０、コネクタ７１、フレキシブル基板（ＦＰＣ：Flexible Printed Circuit）７２，７３、固定板７４、光検出器７５及びフロントモニタ受光検出器７６が設けられている。
【００２０】
リジッド基板７０及びフレキシブル基板部７２，７３には、それぞれに導電パターンが形成されているが、各導電パターンは電気的に適宜接続されており、回路基板３４全体で統一的な導電パターンとなるように形成されている。
【００２１】
リジッド基板７０には、コネクタ７１が装着されている。コネクタ７１には、回路基板３４に形成される各導電パターンとそれぞれ結合される端子が設けられている。また、図１に示すように、コネクタ７１には、光ディスク装置側のメイン回路基板に一端が接続されるケーブル２３の他端が接続され、前記メイン回路基板に形成される光ピックアップ装置１０の各種動作を制御する制御装置（不図示）がケーブル２３を介して接続される。
【００２２】
フレキシブル基板７２には、図２に示すように、光検出器７５やフロントモニタ受光検出器７６が接続される。光検出器７５及びフロントモニタ受光検出器７６（光学電子部品）は、レーザユニット５０から出射されたレーザ光を受光する光センサを有して構成されている。光検出器７５及びフロントモニタ受光検出器７６は、検出したレーザ光の強度に応じた信号を、コネクタ７１に接続された制御装置に伝達する。また、フレキシブル基板７２には、フレキシブル基板７２が撓むのを防止するための固定板７４が取り付けられている。
【００２３】
フレキシブル基板７３は、制御装置がアクチュエータ３０を制御できるよう、アクチュエータ３０と、コネクタ７１との間を接続する。
【００２４】
＝＝光学系＝＝
図３は、上述したアクチュエータ３０、光学部品３１、放熱板３２，３３、及び回路基板３４がハウジング２０の所定の位置に収納された状態を示す図である。また、本実施形態における光ピックアップ装置１０の光学系について、図４及び図５を参照しながら説明する。
【００２５】
光ピックアップ装置１０は、一例として、ＤＶＤ規格の光ディスク５及びＣＤ規格の光ディスク５に対して記録や再生を行う。
【００２６】
そのため、レーザユニット５０は、ＤＶＤ規格の光ディスク５に対する記録、再生を行なう場合には、ＤＶＤ規格に対応した赤色波長帯（６４５ｎｍ〜６７５ｎｍ）のうち例えば６５５ｎｍの波長のレーザ光（第１レーザ光とも記す）を出射する。一方、レーザユニット５０は、ＣＤ規格の光ディスク５に対する記録、再生を行なう場合には、ＣＤ規格に対応した赤外波長帯（７６５ｎｍ〜８０５ｎｍ）のうち例えば７８５ｎｍの波長のレーザ光（第２レーザ光とも記す）を出射する。つまりレーザユニット５０は、波長が異なる２種類のレーザ光（第１レーザ光、第２レーザ光）のうちのいずれか一方を選択的に出射する。
【００２７】
レーザユニット５０は、外部の制御装置からの指示に従って、第１レーザ光あるいは第２レーザ光のいずれか一方を選択的に出力する。
【００２８】
レーザユニット５０から出射されたレーザ光は、ハウジング２０内に収容される各種光学部品により、対物レンズ４０から光ディスク５に照射された後、その反射光が光検出器７５に導かれる。
【００２９】
レーザユニット５０には、第１レーザ光を発生する第１発光部を有する第１レーザダイオード１００と、第２レーザ光を発生する第２発光部を有する第２レーザダイオード１０１とが設けられている。
【００３０】
レーザユニット５０から選択的に出射された第１あるいは第２レーザ光は、回折格子５１に入射される。
【００３１】
回折格子５１は、入射されるレーザ光から、０次光、＋１次回折光、−１次回折光を生成する。また、回折格子１２は、レーザ光の直線偏光の方向をビームスプリッタ５２に対しＳ偏光の直線偏光のレーザ光に回転させる１／２波長板機能も有する複合光学部品となっている。
【００３２】
ビームスプリッタ５２は、例えば、赤色波長帯及び赤外波長帯のＳ偏光のレーザ光の大部分を反射し、赤色波長帯及び赤外波長帯のＳ偏光のレーザ光の一部を透過する。またビームスプリッタ５２は、例えば、赤色波長帯及び赤外波長帯のＰ偏光のレーザ光の大部分を透過する。
【００３３】
そのため、ビームスプリッタ５２は、回折格子５１から入射する赤色波長帯又は赤外波長帯のＳ偏光のレーザ光の大部分を１／４波長板５４の方向に反射し、一部をフロントモニタ受光検出器７６の方向に透過する。
【００３４】
フロントモニタ受光検出器７６は、ビームスプリッタ５２を透過したレーザ光を受光して、レーザユニット５０から出射されるレーザ光の強度を調整するために用いられる光学部品である。フロントモニタ受光検出器７６は、検出したレーザ光の強度に応じて変化するモニタ信号を、フレキシブル基板７２及びリジッド基板７０に形成される導電パターンを経由してコネクタ７１の所定の端子に出力する。そしてモニタ信号は、コネクタ７３に接続されたケーブル２３を経由して、外部の制御装置に伝達される。なお、外部の制御装置は、このモニタ信号に基づいて、レーザユニット５０から出力されるレーザ光が所定強度になるようレーザユニット５０を制御する。
【００３５】
１／４波長板５４は、ビームスプリッタ５２から入射するレーザ光を、Ｓ偏光の直線偏光から円偏光に変換する。又１／４波長板５４は、コリメータレンズ５５から入射するレーザ光の戻り光を、円偏光からビームスプリッタ５２に対してＰ偏光の直線偏光に変換する。
【００３６】
コリメートレンズ５５は、１／４波長板５４から拡散光として入射するレーザ光を平行光に変換する。
【００３７】
立ち上げミラー５６は、コリメートレンズ５５から入射するレーザ光を、対物レンズ４０の方向に反射する。又、立ち上げミラー５６は、対物レンズ４０から入射するレーザ光の戻り光をコリメートレンズ５５の方向に反射する。
【００３８】
対物レンズ４０は、立ち上げミラー５６から入射したレーザ光を、光ディスク５の記録面における信号記録層に集光する。また、光ディスク５の信号記録層で反射したレーザ光の戻り光は、対物レンズ４０によって平行光に変換された後、立ち上げミラー５６を介してコリメートレンズ５５を透過し、１／４波長板５４によって円偏光からＰ偏光の直線偏光に変換される。
【００３９】
Ｐ偏光となったレーザ光の戻り光は、ビームスプリッタ５２を透過して非点収差発生板５３に入射する。非点収差発生板５３は、ビームスプリッタ５２を透過したレーザ光の戻り光に非点収差を発生させて光検出器７５に集光させる。非点収差発生板５３は、例えば平行平板を非点収差の発生方向を考慮した所定方向に傾けて構成されている。
【００４０】
光検出器７５は、非点収差発生板５３から入射されるレーザ光の戻り光を検出する。光検出器７５は、光ディスク５の信号記録層に記録されている情報の読み取りを行うための再生信号や、フォーカシング制御を行うためのフォーカスエラー信号、トラッキング制御を行うためのトラッキングエラー信号の生成を行う。これらの再生信号、フォーカスエラー信号、トラッキングエラー信号は、外部の制御装置に伝達される。したがって、光ピックアップ装置１０は、ＤＶＤの記録及び再生に対応すると共に、ＣＤの記録及び再生にも対応することができる。
【００４１】
＝＝カバー２１及びハウジング２０の詳細＝＝
図６及び図７は、カバー２１の斜視図であり、図８及び図９は、ハウジング２０の斜視図である。
【００４２】
図６に示すように、カバー２１における＋Ｘ及び−Ｙ方向の端部の領域には、フック２５０が形成されている。フック２５０（鉤部）は、コの字状に加工されたカバー２１の一部が、ＸＺ平面つまり、ハウジング２０の側面に略平行となるよう、折り曲げられて形成されている。また、フック２５０が形成されているカバー２１の表面（ＸＹ平面）の縁の部分のうち、フック２５０のコの字状に加工された側の領域には、開口部２６０が設けられている。
【００４３】
また、図７に示すように、カバー２１の＋Ｙ及び−Ｘ方向の端部の領域には、フック２５１が形成されている。フック２５１（鉤部）は、フック２５０と同様に、コの字状に加工されたカバー２１の一部が、ハウジング２０の側面に略平行となるよう、折り曲げられて形成されている。また、フック２５１が形成されているカバー２１の表面の縁の部分においては、開口部２６１が設けられている。また、カバー２１の−Ｙ及び−Ｘ方向の端部の領域には、開口部２６２を有する板状部材２５２が設けられている。板状部材２５２は、ハウジング２０の側面に略平行となるよう、折り曲げられて形成されている。また、本実施形態では、カバー２１の外周部の変形防止のため、フック２５０，２５１はカバー２１の最外周部に配置されている。
【００４４】
カバー２１は、アクチュエータ３０が設置されたハウジング２０を該アクチュエータ３０共に覆い、フック２５１及びフック２５０はハウジング２０の光ディスク５の径方向において内周方向の側面及び外周方向の側面にそれぞれ対応して配置されていると共に、光ディスク５の径方向に光ピックアップ装置をガイドする２本のガイドシャフトの主軸側の軸受部２０ａ及び副軸側の軸受部２０ｂにそれぞれ近い位置に配置され、それぞれカバー２１のアクチュエータ３０に相対するアクチュエータ被覆部２１ａ及びアクチュエータ３０が設置されていない部分に相対するハウジング被覆部２１ｂに形成されている。
【００４５】
図８、図９に示すように、ハウジング２０には、突起３００，３０１、及び凸部３１０〜３１２が形成されている。
【００４６】
ハウジング２０の＋Ｘ及び−Ｙ方向の側面の一部には、カバー２１がハウジング２０を覆う際に、コの字状のフック２５０が引っ掛けられ、フック２５０と嵌合する凸部３１０（嵌合部）が設けられている。また、ハウジング２０の＋Ｙ及び−Ｘ方向の側面の一部には、カバー２１でハウジング２０を覆う際に、コの字状のフック２５１が引っ掛けられ、フック２５１と嵌合する凸部３１１（嵌合部）が設けられている。さらに、ハウジング２０の−Ｙ及び−Ｘ方向の側面の一部には、板状部材２５２の開口部２６２に挿入される凸部３１２が設けられている。なお、本実施形態では、凸部３１０〜３１２の厚さ（ハウジング２０の表面からの厚さ）が、カバー２１の板厚よりも十分厚くなるよう、凸部３１０〜３１２はハウジング２０の表面に形成されている。
【００４７】
また、ハウジング２０の表面には、カバー２１がハウジング２０を覆う際に、カバー２１の開口部２６０，２６１のそれぞれに挿入される突起３００，３０１が形成されている。なお、本実施形態では、カバー２１の厚さ（ｄ）よりも、ハウジング２０の表面からの突起３００，３０１の先端までの距離（Ｌ＞ｄ）のほうが長くなるよう、突起３００，３０１が形成されている。さらに、本実施形態では、凸部３１０〜３１２のハウジング表面からの厚さＴ（ハウジング表面から水平方向への厚み）は、カバー２１がハウジング２０を覆った際におけるカバー２１の水平方法への移動可能な変位Ｄよりも大きくなるよう設計されている。なお、変位Ｄは、例えば、開口部２６０，２６１の半径のそれぞれから、突起３００，３０１の半径を減算することにより求められる。また、突起３００，３０１は、突部に相当する。
【００４８】
＝＝カバー２１の取り付けについて＝＝
ここで、図１０を参照しつつ、カバー２１がハウジング２０に取り付けられる際のフック２５０および凸部３１０と、開口部２６０および突起３００と、の関係について説明する。
【００４９】
作業者は、フック２５０形成されるコの字状の凹みに、凸部３１０の出っ張り部分が合わさるよう、フック２５０と凸部３１０との位置を定める。そして、作業者は、フック２５０の裏面がハウジング２０の側面の表面にあたるよう、フック２５０をハウジング２０側に押し込む。この結果、フック２５０は、凸部３１０に引っ掛かった状態で、フック２５０は、凸部３１０に嵌め込まれることになる。そして、作業者は、カバー２１の表面と、ハウジング２０の表面とが水平になるよう、カバー２１をハウジング２０に被せる。この結果、開口部２６０（第１開口部）には、突起３００が挿入されることになる。
【００５０】
ここでは、フック２５０及び凸部３１０と、開口部２６０及び突起３００と、の関係について説明したが、フック２５１及び凸部３１１と、開口部２６１及び突起３０１との関係についても同様である。なお、本実施形態では、開口部２６２に凸部３１２が挿入された状態で、上述したフック２５０，２５１の嵌め込み作業ができるよう、フック２５０，２５１の寸法や開口部２６０，２６１の面積に余裕をもたせている。
【００５１】
図１１、図１２は、ハウジング２０にカバー２１が取り付けられた状態を示す図であり、図１３は、光ピックアップ装置１０の平面図である。図１１〜図１３に示すように、カバー２１がハウジング２０を覆った後は、カバー２１は、螺子２２でハウジング２０に取り付けられる。
【００５２】
以上、本実施形態の光ピックアップ装置１０について説明した。金属性のカバー２１の開口部２６０には、ハウジング２０に設けられた突起３００が挿入される。このため、カバー２１に対し、水平方向（ＸＹ平面の方向）に力が加えられた場合であっても、カバー２１が大きくずれることを防ぐことができる。このため、光ピックアップ装置１０では、フック２５０がハウジング２０から離れることを抑制することが可能となる。
【００５３】
また、カバー２１がハウジング２０を覆っている際に、突起３００の先端は、カバー２１表面の高さより高い位置にある。このため、光ピックアップ装置１０では、カバー２１が水平方向にずれることをより確実に防ぐことができる。
【００５４】
また、光ピックアップ装置１０では、カバー２１はハウジング２０に螺子２２で取り付けられているため、安全性をより高めることができる。
【００５５】
なお、上記実施例は本発明の理解を容易にするためのものであり、本発明を限定して解釈するためのものではない。本発明は、その趣旨を逸脱することなく、変更、改良され得ると共に、本発明にはその等価物も含まれる。
【符号の説明】
【００５６】
５    光ディスク
１０  光ピックアップ装置
２０  ハウジング
２１  カバー
２２  螺子     
２３  ケーブル
３０  アクチュエータ
３１  光学部品
３２，３３  放熱板
３４  回路基板
４０  対物レンズ
４１  レンズホルダ
５０  レーザユニット
５１  回折格子
５２  ビームスプリッタ
５３  非点収差発生板
５４  １／４波長板
５５  コリメートレンズ
５６  立ち上げミラー
６０  螺子穴
７０  リジッド基板
７１  コネクタ
７２，７３  フレキシブル基板
７４  固定板
７５  光検出器
７６  フロントモニタ受光検出器
８０〜８２，２６０，２６１，２６２  開口部
２５０，２５１  フック
２５２  板状部材
３００，３０１  突起
３１０〜３１２  凸部
【図１】
2014106999.tif 000003
【図２】
2014106999.tif 000004
【図３】
2014106999.tif 000005
【図４】
2014106999.tif 000006
【図５】
2014106999.tif 000007
【図６】
2014106999.tif 000008
【図７】
2014106999.tif 000009
【図８】
2014106999.tif 000010
【図９】
2014106999.tif 000011
【図１０】
2014106999.tif 000012
【図１１】
2014106999.tif 000013
【図１２】
2014106999.tif 000014
【図１３】
2014106999.tif 000015